(57)【特許請求の範囲】
【請求項１】
光ファイバケーブルを収納するケーブル収納部を設けたプラグ成形体を有する光コネクタプラグと、該光コネクタプラグを嵌合するプラグ収納部を設けたソケット成形体を有する光コネクタソケットを含み、前記光コネクタプラグか前記光コネクタソケットのいずれかに光電変換素子組立体を収容し、前記光ファイバケーブルを保持する固定金具を前記光コネクタプラグの前記プラグ成形体に設けた前記ケーブル収納部に通じる孔に挿入し、前記光コネクタソケットには前記ソケット成形体を覆うシールドカバーを設け、前記固定金具と前記シールドカバーとを接触させることを特徴とするノイズ防止光コネクタ。
【請求項２】
光ファイバケーブルを収納するケーブル収納部とこれに対向し光電変換素子組立体を収納する光電変換素子組立体収納部を設けたプラグ成形体を有する光コネクタプラグと、該光コネクタプラグを嵌合するプラグ収納部と前記光電変換素子組立体の電気接続端子と電気的に接続するソケット端子を収容するソケット端子収容部を設けたソケット成形体を有する光コネクタソケットを含み、前記光ファイバケーブルを保持する固定金具を前記光コネクタプラグの前記プラグ成形体に設けた前記ケーブル収納部に通じる孔に挿入し、前記光コネクタソケットには前記ソケット成形体を覆うシールドカバーを設け、前記固定金具と前記シールドカバーとを接触させることを特徴とするノイズ防止光コネクタ。
【請求項３】
前記固定金具と前記シールドカバーとの接触を、前記シールドカバーに弾性を有する板ばね部を設けて行うことを特徴とする請求項１又は２記載のノイズ防止光コネクタ。
【発明の詳細な説明】
【０００１】
【発明の属する技術分野】
この発明は、光ファイバケーブルを電気信号回路に接続する光コネクタに関する。特に、ノイズ防止策を施した光コネクタに関する。
【０００２】
【従来の技術】
従来、この種の光コネクタは、特開平５−１５７９４５に見られるように、光ファイバ又は光ファイバケーブルが挿入保持される光コネクタプラグと、この光コネクタプラグを嵌合保持するレセプタクル（光コネクタソケット）とから構成されており、光コネクタプラグに保持された光ファイバの先端と対向するよう光電変換素子がレセプタクルに収納されている。光電変換素子は、透明樹脂等でパッケージされており、この端子を配線基板等に直接半田付けする。また、光ファイバと光電変換素子の光結合損失の低減には、光コネクタプラグとレセプタクル両方の寸法管理が重要となる。このため、光電変換素子組立体を光コネクタプラグ側に収納して、熱に弱い光電変換素子の伝送特性の低下を招く光電変換素子の直接の半田付けを無くし、さらに寸法管理が容易な光コネクタが提案されている。
【０００３】
【発明が解決しようとする課題】
しかし、上記いずれのタイプの光コネクタであっても、電気を使用する光電変換素子が組み込まれているため、ノイズの発生源として問題とされている。そこで、本発明では、光コネクタからのノイズを極力抑えるノイズ防止光コネクタを提供することを目的とする。
【０００４】
【課題を解決するための手段】
上記の目的を達成するため、本発明のノイズ防止光コネクタでは、光ファイバケーブルを収納するケーブル収納部を設けたプラグ成形体を有する光コネクタプラグと、該光コネクタプラグを嵌合するプラグ収納部を設けたソケット成形体を有する光コネクタソケットを含み、前記光コネクタプラグか前記光コネクタソケットのいずれかに光電変換素子組立体を収容し、前記光ファイバケーブルを保持する固定金具を前記光コネクタプラグの前記プラグ成形体に設けた前記ケーブル収納部に通じる孔に挿入し、前記光コネクタソケットには前記ソケット成形体を覆うシールドカバーを設け、前記固定金具と前記シールドカバーとを接触させる。これによって、シールドカバーと固定金具により光ファイバの周方向のみならず、軸方向のシールド効果ももたせることが可能となる。
【０００５】
また、光ファイバケーブルを収納するケーブル収納部とこれに対向し光電変換素子組立体を収納する光電変換素子組立体収納部を設けたプラグ成形体を有する光コネクタプラグと、該光コネクタプラグを嵌合するプラグ収納部と前記光電変換素子組立体の電気接続端子と電気的に接続するソケット端子を収容するソケット端子収容部を設けたソケット成形体を有する光コネクタソケットを含み、前記光ファイバケーブルを保持する固定金具を前記光コネクタプラグの前記プラグ成形体に設けた前記ケーブル収納部に通じる孔に挿入し、前記光コネクタソケットには前記ソケット成形体を覆うシールドカバーを設け、前記固定金具と前記シールドカバーとを接触させるノイズ防止光コネクタとすれば、シールドカバーと固定金具により光ファイバの周方向のみならず、軸方向のシールド効果ももたせることが可能となる。特に光コネクタプラグ側に光電変換素子組立体を収納した場合には、光ファイバ方向（光ファイバが挿入されてくる方向）へのノイズがより多く放出されることになるのでこの構成は効果がある。
【０００６】
また、前記固定金具と前記シールドカバーとの接触を、前記シールドカバーに弾性を有する板ばね部を設けて行うものとすれば、より確実な接触を確保でき、効果的なノイズ防止光コネクタとできる。
【０００７】
【発明の実施の形態】
以下、本発明の実施の形態の例を図に基づいて説明する。
【０００８】
図１乃至図４は、第一の実施の形態の例を示す。
【０００９】
図１は、光ファイバケーブルを挿入した状態の光コネクタの外観斜視図である。光コネクタプラグは光コネクタソケットに、挿入直前の対応位置に置かれている。
光コネクタ１は、光コネクタプラグ２とこれを嵌合保持する光コネクタソケット３から構成される。図２は、光コネクタプラグと光コネクタソケットとを嵌合した状態を示す光コネクタの外観斜視図である。図３は、図２の状態の光コネクタの中心面に沿った断面図である。図４は、図１と図３に示す光コネクタプラグの孔に挿入する光ケーブルの固定金具の２例を示す。図４の（ａ）はリング穴タイプ、（ｂ）は四本足タイプである。
【００１０】
図１乃至図３に示すように、光コネクタプラグ２は光ファイバ１１ａを内包する光ファイバケーブル１１を嵌入収容するケーブル収納部２ａと光電変換素子組立体５を嵌入収容する光電変換素子組立体収納部２ｂをモールドによったプラグ成形体２ｈに設けている。ケーブル収納部２ａと光電変換素子組立体収納部２ｂとは連接している。さらに、光コネクタプラグ２には、そのプラグ成形体２ｈにケーブル収納部２ａに通じる孔２ｄを設けてこの孔２ｄに図４に示す断面Ｕ字状の固定金具（クランパ）６ａ又は６ｂを挿入して、光ファイバケーブル１１を確実に保持する。固定金具（クランパ）６ａ又は６ｂの材料としては、銅合金が望ましい。プラグ成形体２ｈは、中央左右側部に突起部２ｆを形成し、後述の光コネクタソケット３の引掛け部３ｃと係合させて光コネクタプラグ２の光コネクタソケット３への嵌合保持を確実なものとしている。
【００１１】
光電変換素子組立体５は、光電変換素子組立体収納部２ｂに収納後に光ファイバケーブル１１端部との対向位置に置かれる集光レンズ５ａと、駆動用集積回路（図示せず。）と、発光ダイオード（ＬＥＤ）、光ダイオード（ＰＤ）などの光電変換素子（図示せず。）と、電気接続端子５ｂ（図４参照）とを有し、これらを透明樹脂でパッケージし立方体形状をなす。光電変換素子組立体５の電気接続端子５ｂと後述のソケット端子３ｂとが、機械的な弾圧により電気的に接続される。光電変換素子組立体５は、光電変換素子組立体収納部２ｂにここでは圧入しているがロック機構を設けて固定してもよい。
【００１２】
光コネクタソケット３は、ソケット成形体３ｈに、プラグ収納部３ａ、その左右の側壁に弾性を持って伸びた引掛け部３ｃ、複数のソケット端子３ｂをそれぞれ挿入するソケット端子収納部（図には表れていない。）を一体にモールド成型によって形成している。上記の引掛け部３ｃと光コネクタプラグ２の突起部２ｆとは、ロック機構を構成する。光コネクタソケット３は、ソケット成形体３ｈを金属材料のシールドカバー３ｊでプラグ収納部３ａの開口面を除き覆われている。ここでの金属材料としては、銅合金などを用いることができる。シールドカバー３ｊには、基部がシールドカバー３ｊに保持された弾性を有する板ばね部３ｋが、光コネクタプラグ２の孔２ｄに嵌入された固定金具６ａ又は６ｂの背部に当接する位置に設けられる。
【００１３】
複数のソケット端子３ｂは、それぞれソケット端子収納部に挿入され図３左側の端部は弾性を持って光電変換素子組立体５の電気接続端子５ｂと接触し光コネクタソケット３の外部に出た端部は配線基板等に半田付けされ、電気的接続が行われる。図３に示すソケット端子３ｂの端部は、光コネクタのソケット３の底面と同じレベルとされているため配線基板等への表面実装が容易である。
【００１４】
光電変換素子組立体５は、光電変換素子組立体収納部２ｂの天井部分にその上端を突き当てるまで、下方から押し込まれ収納される。その後に光ファイバケーブル１１をケーブル収納部２ａに光電変換素子組立体５付近まで、またはそれに当たるまで押し込み、端部との対向位置に置かれる集光レンズ５ａと光軸が合わせられる。
【００１５】
次に、上記の実施の形態における光コネクタ１の組立方法を説明する。
【００１６】
Ａ）光ファイバケーブル１１の先端を切断する。
【００１７】
Ｂ）次に光コネクタプラグ２のプラグ成形体２ｈの光電変換素子組立体収納部２ｂに光電変換素子組立体５を基板面側から光電変換素子組立体収納部２ｂの天井部まで嵌入し圧入収容する。
【００１８】
Ｃ）次にクランパ６ａをあらかじめ孔２ｄに軽く入れて置き、光ファイバケーブル１１を光コネクタプラグ２のケーブル収納部２ａに差し込み、クランパ６ａを孔２ｄに圧入して光ファイバケーブル１１を光コネクタプラグ２に固定保持する。クランパ６ｂ形状であれば、光ファイバケーブル１１を光コネクタプラグ２のケーブル収納部２ａに差し込み後に孔２ｄに圧入するだけでもよい。
【００１９】
光電変換素子組立体５の位置は、モールドによった光電変換素子組立体収納部２ｂの位置と寸法で決まり、光ファイバケーブル１１の位置もモールドによったケーブル収納部２ａの位置と寸法で決まるため、正確に集光レンズ５ａと光ファイバ１１ａとの光軸を一致させることができる。
【００２０】
Ｄ）一方、複数のソケット端子３ｂは、それぞれソケット端子収納部に挿入され、光コネクタソケット３の外部に出た端部は配線基板等に半田付けされ、電気的接続が行われる。また、光コネクタソケット３の取付け片３ｇも配線基板等に半田付けされ固定される。
【００２１】
Ｅ）上記のＡ），Ｂ），Ｃ）により整えた光コネクタプラグ２を、上記のＤ）で整えた光コネクタソケット３のプラグ収納部３ａに図１の左方から嵌入し、光電変換素子組立体５の電気接続端子５ｂをソケット端子３ｂに弾圧させ電気的に接続すると共に、光コネクタプラグ２の突起部２ｆが光コネクタソケット３の引掛け部３ｃと係合し、光コネクタプラグ２を光コネクタソケット３に固定する。さらに、シールドカバー３ｊの板ばね部３ｋは固定金具６ａ又は６ｂの背部に接触する。こうして、シールドカバー３ｊと固定金具６ａ又は６ｂとは連結されたノイズ防止用のシールドを構成する。
【００２２】
また、光コネクタプラグ２と光コネクタソケット３は、電気接続であるため、光コネクタプラグとレセプタクルの光接続と比較すると位置関係が厳しくなく、光コネクタの構造に自由度を持たせることができる。
【００２３】
上記の実施例では、シールドカバーと固定金具とを、光コネクタソケット３のシールドカバー３ｊの板ばね部３ｋにより接触させたが、逆に固定金具自体に弾性部を設けて両者の接触をとっても良い。
【００２４】
【発明の効果】
以上説明したように、本発明のノイズ防止光コネクタによれば、光ファイバケーブルを保持する固定金具を光コネクタプラグのプラグ成形体に設けたケーブル収納部に通じる孔に挿入し、光コネクタソケットにはソケット成形体を覆うシールドカバーを設けて、固定金具とシールドカバーとを接触させることによって、シールドカバーと固定金具により光ファイバの周方向のみならず、軸方向のシールド効果ももたせることが可能となる。
【図面の簡単な説明】
【図１】  本発明による一実施の形態としての、光ファイバケーブルを挿入した状態の光コネクタの外観斜視図である。光コネクタプラグは光コネクタソケットに、挿入直前の対応位置に置かれている。
【図２】  図１の光コネクタプラグと光コネクタソケットとを嵌合した状態を示す光コネクタの外観斜視図である。
【図３】  図２の状態の光コネクタの中心面に沿った断面図である。
【図４】  図１と図３に示す光コネクタプラグの孔に挿入する光ケーブルの固定金具の外観斜視図である。（ａ）はリング穴タイプ、（ｂ）は四本足タイプである。
【符号の説明】
１  光コネクタ、２  光コネクタプラグ、２ａ  ケーブル収納部、２ｂ  光電変換素子組立体収納部、２ｄ  孔、２ｆ  突起部、２ｈ  プラグ成形体、３  光コネクタソケット、３ａ  プラグ収納部、３ｂ  ソケット端子、３ｃ  引掛け部、３ｇ  取付け片、３ｈ  ソケット成形体、３ｊ  シールドカバー、３ｋ  板ばね部、５  光電変換素子組立体、５ａ  集光レンズ、５ｂ  電気接続端子、６ａ，６ｂ  固定金具（クランパ）、１１  光ファイバケーブル、１１ａ  光ファイバ。
【図１】
0003903122.tif 000002
【図２】
0003903122.tif 000003
【図３】
0003903122.tif 000004
【図４】
0003903122.tif 000005